【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
ビデオデータの現在のピクチャの中の現在のコーディング単位(CU)を復号する方法であって、
前記現在のCUの1つまたは複数の隣接ブロックを復号するために使用されるイントラ予測モードに基づいて、複数のイントラ予測モードの中から33個の角度イントラ予測モードの部分集合を選択するステップであって、前記複数のイントラ予測モードが65個の角度イントラ予測モードを含む、ステップと、
33個の角度イントラ予測モードの前記部分集合の中から、前記現在のCUの現在の予測単位(PU)のための選択されたイントラ予測モードを示すシンタックス情報を復号するステップと、
前記選択されたイントラ予測モードに基づいて前記現在のCUを、1/32ペル補間精度を使用して再構築するステップとを備え、前記現在のCUを再構築するステップが、
前記現在のPUの予測ブロックの各それぞれのサンプルに対して、
前記現在のピクチャの2つの隣接する再構築されたサンプルの間の小数位置を、前記選択されたイントラ予測モードと関連付けられる予測方向に沿って、前記それぞれのサンプルの座標を前記2つの隣接する再構築されたサンプルを含む隣接する再構築されたサンプルの行または列へと投影することによって決定するステップであって、前記2つの隣接する再構築されたサンプルが前記現在のPUに隣接する、ステップ、および、
前記2つの隣接する再構築されたサンプルの値を使用して前記決定された小数位置における値を補間する補間フィルタを使用して前記それぞれのサンプルの値を計算するステップであって、前記補間が1/32ペル精度である、ステップと、
前記CUのPUの前記予測ブロックのサンプルを、前記現在のCUの変換単位(TU)の変換ブロックの対応するサンプルに加算することによって、残差値を使用して前記現在のCUのコーディングブロックを再構築するステップと
を備える、方法。
【請求項２】
65個の角度イントラ予測モードを含む前記複数のイントラ予測モードの中から選択された前記33個の角度イントラ予測モードは、左上の隣接ブロックからの情報を使用して、前記65個の角度予測モードから適応的に選択される、請求項1に記載の方法。
【請求項３】
コーディング単位サイズまたは予測単位サイズのうちの少なくとも1つに基づいて、前記複数のイントラ予測モードにおけるイントラ予測モードの総数を決定するステップをさらに備える、請求項1に記載の方法。
【請求項４】
前記複数のイントラ予測モードにおけるイントラ予測モードの総数が、シーケンスパラメータセット、ピクチャパラメータセット、またはスライスヘッダのうちの少なくとも1つにおいてシグナリングされる、請求項1に記載の方法。
【請求項５】
前記補間フィルタが2タップの双線形補間フィルタである、請求項1に記載の方法。
【請求項６】
前記補間フィルタが、
pxy=(1-α)・L+α・R
として定式化され、pxyが前記それぞれのサンプルの計算された値であり、LおよびRが前記2つの再構築された隣接サンプルの値であり、αが前記決定された小数位置である、請求項1に記載の方法。
【請求項７】
ビデオデータの現在のピクチャの中の現在のコーディング単位(CU)を符号化する方法であって、
前記現在のCUの1つまたは複数の隣接ブロックを符号化するために使用されるイントラ予測モードに基づいて、複数のイントラ予測モードの中から33個の角度イントラ予測モードの部分集合を選択するステップであって、前記複数のイントラ予測モードが65個の角度イントラ予測モードを含む、ステップと、
33個の角度イントラ予測モードの前記部分集合の中から、前記現在のCUの現在の予測単位(PU)のための選択されたイントラ予測モードを示すシンタックス情報を符号化するステップと、
前記選択されたイントラ予測モードに基づいて前記現在のCUを、1/32ペル補間精度を使用して符号化するステップとを備え、ビデオデータの前記ブロックを符号化するステップが、
前記現在のPUの予測ブロックの各それぞれのサンプルに対して、
前記現在のピクチャの2つの隣接する再構築されたサンプルの間の小数位置を、前記選択されたイントラ予測モードと関連付けられる予測方向に沿って、前記それぞれのサンプルの座標を前記2つの隣接する再構築されたサンプルを含む隣接する再構築されたサンプルの行または列へと投影することによって決定するステップであって、前記2つの隣接する再構築されたサンプルが前記現在のPUに隣接する、ステップ、および、
前記2つの隣接する再構築されたサンプルの値を使用して前記決定された小数位置における値を補間する補間フィルタを使用して前記それぞれのサンプルの予測値を計算するステップであって、前記補間が1/32ペル精度である、ステップと、
前記現在のCUと前記予測ブロックとの間のピクセル差分を表す残差データを生成するステップと
を備える、方法。
【請求項８】
65個の角度イントラ予測モードを含む前記複数のイントラ予測モードの中から選択された前記33個の角度イントラ予測モードは、左上の隣接ブロックからの情報を使用して、前記65個の角度予測モードから適応的に選択される、請求項7に記載の方法。
【請求項９】
コーディング単位サイズまたは予測単位サイズのうちの少なくとも1つに基づいて、前記複数のイントラ予測モードにおけるイントラ予測モードの総数を決定するステップをさらに備える、請求項7に記載の方法。
【請求項１０】
前記複数のイントラ予測モードにおけるイントラ予測モードの総数が、シーケンスパラメータセット、ピクチャパラメータセット、またはスライスヘッダのうちの少なくとも1つにおいてシグナリングされる、請求項7に記載の方法。
【請求項１１】
前記補間フィルタが2タップの双線形補間フィルタである、請求項7に記載の方法。
【請求項１２】
前記補間フィルタが、
pxy=(1-α)・L+α・R
として定式化され、pxyが前記それぞれのサンプルの計算された値であり、LおよびRが前記2つの再構築された隣接サンプルの値であり、αが前記決定された小数位置である、請求項7に記載の方法。
【請求項１３】
ビデオデータを復号するためのデバイスであって、
前記ビデオデータを記憶するように構成されるメモリと、
1つまたは複数のプロセッサとを備え、前記1つまたは複数のプロセッサが、
ビデオデータの現在のピクチャの中の現在のコーディング単位(CU)の1つまたは複数の隣接ブロックを復号するために使用されるイントラ予測モードに基づいて、複数のイントラ予測モードの中から33個の角度イントラ予測モードの部分集合を選択することであって、前記複数のイントラ予測モードが65個の角度イントラ予測モードを含む、選択することと、
33個の角度イントラ予測モードの前記部分集合の中から、前記現在のCUの現在の予測単位(PU)のための選択されたイントラ予測モードを示すシンタックス情報を復号することと、
前記選択されたイントラ予測モードに基づいて前記現在のCUを再構築することであって、補間が1/32ペル精度で実行されるように前記角度イントラ予測モードが定義される、再構築することと
を行うように構成され、前記現在のCUを再構築することが、
前記現在のPUの予測ブロックの各それぞれのサンプルに対して、
前記現在のピクチャの2つの隣接する再構築されたサンプルの間の小数位置を、前記選択されたイントラ予測モードと関連付けられる予測方向に沿って、前記それぞれのサンプルの座標を前記2つの隣接する再構築されたサンプルを含む隣接する再構築されたサンプルの行または列へと投影することによって決定することであって、前記2つの隣接する再構築されたサンプルが前記現在のPUに隣接する、決定すること、および、
前記2つの隣接する再構築されたサンプルの値を使用して前記決定された小数位置における値を補間する補間フィルタを使用して前記それぞれのサンプルの値を計算することであって、前記補間が1/32ペル精度である、計算することと、
前記CUのPUの前記予測ブロックのサンプルを、前記現在のCUの変換単位(TU)の変換ブロックの対応するサンプルに加算することによって、残差値を使用して前記現在のCUのコーディングブロックを再構築することとを備える、デバイス。
【請求項１４】
ビデオデータを符号化するためのデバイスであって、
前記ビデオデータを記憶するように構成されるメモリと、
1つまたは複数のプロセッサとを備え、前記1つまたは複数のプロセッサが、
ビデオデータの現在のピクチャの中の現在のコーディング単位(CU)の1つまたは複数の隣接ブロックを符号化するために使用されるイントラ予測モードに基づいて、複数のイントラ予測モードの中から33個の角度イントラ予測モードの部分集合を選択することであって、前記複数のイントラ予測モードが65個の角度イントラ予測モードを含む、選択することと、
33個の角度イントラ予測モードの前記部分集合の中から、前記現在のCUの現在の予測単位(PU)のための選択されたイントラ予測モードを示すシンタックス情報を符号化することと、
前記選択されたイントラ予測モードに基づいて前記現在のCUを、1/32ペル補間精度を使用して符号化することと
を行うように構成され、
ビデオデータの前記ブロックを符号化することは、
前記現在のPUの予測ブロックの各それぞれのサンプルに対して、
前記現在のピクチャの2つの隣接する再構築されたサンプルの間の小数位置を、前記選択されたイントラ予測モードと関連付けられる予測方向に沿って、前記それぞれのサンプルの座標を前記2つの隣接する再構築されたサンプルを含む隣接する再構築されたサンプルの行または列へと投影することによって決定することであって、前記2つの隣接する再構築されたサンプルが前記現在のPUに隣接する、決定すること、および、
前記2つの隣接する再構築されたサンプルの値を使用して前記決定された小数位置における値を補間する補間フィルタを使用して前記それぞれのサンプルの予測値を計算することであって、前記補間が1/32ペル精度である、計算することと、
前記現在のCUと前記予測ブロックとの間のピクセル差分を表す残差データを生成することとを備える、デバイス。
【請求項１５】
命令を記憶するコンピュータ可読記憶媒体であって、前記命令が、1つまたは複数のプロセッサによって実行されると、前記1つまたは複数のプロセッサに、請求項1乃至12のいずれか1項に記載の前記方法を実行させる、コンピュータ可読記憶媒体。